(57)【要約】【課題】各種電気機器に使用される磁気記録再生装置において、動画編集用のデジタルの画像データをパソコンとの間で相互に転送する時、１倍速でテープを走行させるため、テープの記録済み時間と同じ時間がかかっていた。【解決手段】キャプスタンモータ駆動集積回路１とシリンダーモータ駆動集積回路６と、画像データ信号処理回路１４と、デジタルデータインターフェース回路１５の全てを制御するマイクロコンピュータ３からの制御信号で、キャプスタンとシリンダーの両方の回転速度を同一の比率で共に１倍より速くし、画像データ信号処理回路１４と、デジタルデータインターフェース回路１５の処理速度も、共に同一の比率で１倍より速くすることによってデジタルの画像データを記録された時と同一の順番と値を正確に保ちながら従来より高速で記録、または再生し、そのデジタルの画像データをより短い時間でパソコンとの間で相互に転送できる。【選択図】　図１
2004112581.tif 000002
【特許請求の範囲】
【請求項１】
コンピュータと接続し画像データの送受信が可能な磁気記録再生装置であって、テープ状記録媒体を所定速度で走行させるキャプスタンモータと、前記キャプスタンモータを駆動するキャプスタンモータ駆動手段と、前記テープ状記録媒体に対して信号の記録再生を行うヘッドを搭載したシリンダーを所定速度で回転させるシリンダーモータと、前記シリンダーモータを駆動するシリンダーモータ駆動手段と、前記ヘッドで再生した画像データの信号処理を行い前記コンピュータへ送信するとともに前記コンピュータから送信される画像データを受信し信号処理を行う信号処理手段と、前記キャプスタンモータ駆動手段と前記シリンダーモータ駆動手段と前記信号処理手段とを制御する制御手段とを備え、前記制御手段は、前記キャプスタンモータの回転速度をｎ倍で動作させる時、前記シリンダーモータの回転速度及び前記信号処理手段をｎ倍で動作させることを特徴とする磁気記録再生装置。
【請求項２】
テープ走行を行うキャプスタンモータと、前記キャプスタンモータを駆動するキャプスタンモータ駆動集積回路と、前記キャプスタンモータの回転速度を可変するキャプスタンモータ回転速度制御信号と、テープ表面を斜めに走査するビデオヘッドを搭載したシリンダーと、前記シリンダーを回転させるシリンダーモータと、前記シリンダーモータを駆動するシリンダーモータ駆動集積回路と、前記シリンダーモータの回転速度を可変するためのシリンダーモータ回転速度制御信号と、デジタルの画像データを信号処理する画像データ信号処理回路と、前記画像データ信号処理回路を制御する画像データ信号処理回路制御信号と、画像データをデジタルのまま外部機器とつなぐ信号形式に変換するデジタルデータインターフェース回路と、前記デジタルデータインターフェース回路を制御するデジタルデータインターフェース回路制御信号と、前記全ての制御信号を発生するマイクロコンピュータとを備えたことを特徴とするデジタルの画像データを受けたり貯めたり加工したり送信したりするパソコンと相互にデジタルの画像データの転送を行うことのできる磁気記録再生装置。
【請求項３】
コンピュータと接続したときの記録または再生時、キャプスタンモータの回転速度をオリジナルテープ記録時のｎ倍（ｎは実数）にすると同時に、シリンダーモータの回転速度もｎ倍（ｎは実数）に設定し、信号処理手段の処理速度もｎ倍（ｎは実数）に設定することを特徴とする請求項１記載の磁気記録再生装置。
【請求項４】
制御手段の設定で、動画の画像データをコンピュータへ転送する専用のモードを設けたことを特徴とする請求項１記載の磁気記録再生装置。
【発明の詳細な説明】
【０００１】
【発明の属する技術分野】
本発明は、磁気記録再生装置の再生デジタル映像出力をパソコンに取り込み、パソコンを使った動画編集を行う時、またはパソコンから磁気記録再生装置へ画像データを書き戻しテープに記録する時に発生する問題に関するものである。
【０００２】
【従来の技術】
近年、磁気記録再生装置で撮った動画は、その動画を撮影した磁気記録再生装置で再生されるだけでなく、再生動画のデジタル画像データ出力をパソコンに取り込み、ノンリニアの動画編集をした後、別のテープに書き戻したり、さらに光ディスクや半導体メモリーカードなどの別のメディアに保存したり、その記録を再生するといった利用形態が増えてきている。
【０００３】
以下にそのようなことができる従来の磁気記録再生装置について説明する。
【０００４】
従来、磁気記録再生装置の倍速を使った再生技術については特開平４―４２４２１号公報に記載されたものが知られている。
【０００５】
その磁気記録再生装置を図４に示す。図４は従来の磁気記録再生装置の構成図を示すものである。図４において、１はキャプスタンモータ駆動集積回路であり、キャプスタンモータの駆動用の３相駆動波形を作り出す。２はキャプスタンモータ駆動集積回路１で駆動されるキャプスタンモータであり、通常スター結線の３相コイルで構成されている。３はマイクロコンピュータであり、外部からの操作や、内部のセンサーからの情報を元に、システム全体のモードを決定し、各アクチュエータに制御信号を送り全体のシステムをコントロールする。４はマイクロコンピュータ３からのキャプスタンモータ逆転・停止・正転信号でキャプスタンモータ駆動集積回路１を制御するのに使う。たとえば、逆転時Ｈｉレベル・停止時Ｍｉｄレベル・正転時Ｌｏｗレベル等の設定とすれば、１本の線でキャプスタンの回転方向を制御できる。この信号により、キャプスタンを逆方向に回転させるか、停止させるか、正方向に回転させるかを制御する。５はマイクロコンピュータ３からのキャプスタンモータ回転数制御信号で、キャプスタンモータ駆動集積回路１を制御するのに使う。キャプスタンの回転数は記録時のオリジナルテープ速度と同一の速度を１倍速としている。通常、再生時は１倍速を使う。そのほかにも再生画像を出した状態での高速速送りで２倍速、３倍速、５倍速等を使い、また編集時のシーン切り替え位置を探すとき等に使うスロー再生として、１／２倍速、１／３倍速、１／５倍速、駒送り等を使用する。また画像を出さない状態でのテープ位置変更や、始端へ戻す等の目的で１０倍速、２０倍速等を使う。このように多くの速度を切り替える必要があるため、キャプスタンモータ回転数制御信号の具体的な内容としては、シリアル通信による、速度制御がより好ましい。シリアル通信でマイクロコンピュータ３から、キャプスタンモータ駆動集積回路１内のモードレジスタに直接値を書き込んで、回転数を制御する方法が一般的である。
【０００６】
６はシリンダーモータ駆動集積回路で、シリンダー駆動用の３相駆動波形を作り出す。シリンダーモータ駆動集積回路６とキャプスタンモータ駆動集積回路２は、２つの駆動回路が１個の集積回路のパッケージに入ったものを使う場合もある。７はシリンダーモータで、シリンダーモータ駆動集積回路６で駆動される。なおシリンダーモータ７は通常スター結線の３相コイルで構成されている。８はマイクロコンピュータ３からのシリンダーモータ回転入切信号で、シリンダーモータ駆動集積回路６を制御するのに使う。この信号により回転するか停止するかの制御を行う。以上の機構によってテープより読み出されたデジタルの画像データは、画像データ信号処理回路１４で処理される。１５はデジタルデータインターフェース回路であり、画像データをパソコン１７への転送に適したデータ形態に変換する。１６は接続ケーブルである。３０は以上の構成を備えた磁気記録再生装置の一種であるビデオカメラである。
【０００７】
１７はコンピュータの一種であるパーソナルコンピュータ（以下パソコンと記す）であり、デジタルの画像データを受けたり保存したり加工したり送信したりできる。ビデオカメラ３０はパソコン１７と接続ケーブル１６で接続することで相互にデジタルの画像データの転送を行うことができる。なお画像データ信号処理回路１４は画像データ信号処理回路制御信号１９を通じて、マイクロコンピュータ３より制御される。また、デジタルデータインターフェース回路１５は、デジタルデータインターフェース回路制御信号２０を通じてマイクロコンピュータ３より制御される。
【０００８】
以上のように構成された従来の磁気記録再生装置について、以下その動作について説明する。
【０００９】
まず、テープ走行の説明を行う。
【００１０】
従来の磁気記録再生装置での、動画のデジタルの画像データをパソコンに転送する時のテープ速度とシリンダーモータの回転速度について述べる。図２のテープ走行図において、１１はシリンダー、１２はキャプスタン、１３はテープである。テープ１３はキャプスタン１２の回転により、一定速度で走行する。シリンダー１１は、一定速度で回転し、搭載したビデオヘッドで、テープ１３上を斜めに走査し信号の記録再生を行う。
【００１１】
図４では、キャプスタンモータ２は、マイクロコンピュータ３からの、キャプスタンモータ逆転・停止・正転信号４とキャプスタンモータ回転数制御信号５とにより制御されているキャプスタンモータ駆動集積回路１で駆動されている。これによりキャプスタンモータ２がテープ１３を一定速度で走行させている。テープ１３はキャプスタンモータ２によって、撮影されたときと全く同一の一定速度で、正方向に送られる。
【００１２】
一方シリンダーモータ７は、マイクロコンピュータ３からの、シリンダモータ回転入切信号８により制御されているシリンダモータ駆動集積回路６で駆動されている。シリンダーモータ７は、撮影されたときと全く同一の一定速度で回転する。その結果、シリンダーモータ７により回転するシリンダーに搭載したビデオヘッドは、走行するテープの表面を斜めに高速度で走査することにより、デジタルの画像データを、記録された時と同条件で読み出す。
【００１３】
図３がテープパターンの模式図である。従来の磁気記録再生装置での動作を説明する。図３（ａ）に示すのが、記録時のテープ１３上に書かれた磁気記録のテープパターンである。この記録済みのテープパターンを、再生時に読みとる様子について、図３（ｃ）に示す。再生時、撮影されたときと全く同一の速度のキャプスタンモータの回転数１倍速でテープを送り、なおかつ、撮影されたときと全く同一の速度１倍速で回転するシリンダーモータ７に搭載したビデオヘッドで走査することにより、撮影時にテープ１３上に書かれた磁気記録のテープパターンをそのままビデオヘッドがなぞることとなり、記録時と全く同じデジタルの画像データを読み出すことができる。
【００１４】
次に、各モータ駆動集積回路とマイクロコンピュータ制御の説明を行う。
【００１５】
この動作の実現のため、マイクロコンピュータ３は動画のデジタルの画像データをパソコン１７に転送する時、以下の制御を行う。
【００１６】
マイクロコンピュータ３は、キャプスタンモータ駆動集積回路１にキャプスタン反転・停止・正転信号４を使って制御を行い、キャプスタンモータ２を正転させる。また、キャプスタン回転数制御信号５を使って制御を行い、キャプスタンモータ２の回転数を記録時と全く同じ回転数の１倍速になるよう制御する。
【００１７】
つまり、キャプスタンモータ駆動集積回路１は前記２つの制御信号を受けて、キャプスタンモータ２を正方向に、１倍速で回転させる。
【００１８】
また、マイクロコンピュータ３は、シリンダーモータ駆動集積回路６にシリンダーモータ回転入切信号８を送り、シリンダーモータ駆動集積回路６の制御を行う。シリンダーモータ駆動集積回路６は前記制御を受けて、シリンダー７を正方向に記録時と全く同じ１倍速の回転数で回転させる。ただし、シリンダー７の回転方向と回転数は固定されているため、マイクロコンピュータ３からは、特にシリンダー７の回転方向の制御や回転数の制御を行う信号が送られることはなく、回転するか、停止するかだけを表す制御信号のシリンダーモータ回転入切信号８のみが送られる。
【００１９】
この制御により、図３（ｃ）に示した通り、撮影時にテープ１３上に書かれた磁気記録のテープパターンを再生時も、そのままビデオヘッドがなぞることができ、記録時と全く同じ動画のデジタルの画像データを読み出すことができる。
【００２０】
次に、画像データの信号処理の説明を行う。
【００２１】
テープ１３より読み出されたデジタルの画像データは、画像データ信号処理回路１４で処理され、デジタルデータインターフェース回路１５で転送に適したデータ形態に変換され、接続ケーブル１６を経て、パソコン１７にデジタルの画像データとして送り出される。なお画像データ信号処理回路１４は、画像データ信号処理回路制御信号１９を通じて、マイクロコンピュータ３より制御される。また、デジタルデータインターフェース回路１５は、デジタルデータインターフェース回路制御信号２０を通じてマイクロコンピュータ３より制御される。
【００２２】
ただし、その転送速度は１倍速であり、オリジナルテープ記録時と全く同じ速度でテープを走行させるため、読み出す時間はオリジナルテープに映像音声信号を記録するのに掛かった時間と全く同じ時間が掛かるということである。また、画像データをパソコン１７からテープ１３に書き戻すときの、書き込む速度についても、編集済みの画像データの実時間と全く同じである。つまり、画像データをパソコン１７からテープ１３に書き戻すときの転送の速度は、編集済みの画像データを１倍速で再生する速度と同じであるということである。
【００２３】
【特許文献１】
特開平４−４２４２１号公報
【００２４】
【発明が解決しようとする課題】
上記の従来の構成では、動画編集のため、撮影したビデオカメラ３０のデジタルの画像データの再生信号を、パソコン１７に取り込む時、またはパソコン１７からビデオカメラ３０へ画像データを書き戻し、テープ１３に記録する時、オリジナルテープ記録時と全く同じ速度の１倍速で再生または記録し、デジタルの画像データをパソコン１７に転送することとなる。そのため、動画編集時のパソコン１７へのオリジナルテープの転送には、撮影済みのオリジナルテープの撮影済みの時間と全く同じ時間が転送に必要であるという問題点を有する。このことは、例えば、１時間のオリジナルテープを素材として動画編集を行うとき、オリジナルテープに記録された情報（映像音声信号）からパソコン１７への情報転送に、１時間掛かるということである。
【００２５】
つまり、パソコン１７上では実時間とは関係無しに、各シーンをデジタルデータとして扱い、各シーンの編集を一瞬で組み替えることができ、実時間より遥かに少ない時間で編集することができるのに、その前段階のオリジナルテープの転送には、実際の記録テープの記録済み時間と全く同じ時間が掛かるという問題点を有していた。
【００２６】
また、パソコン１７からビデオカメラ３０へ画像データを書き戻し、テープ１３に記録する時間についても、編集済みの画像データの実時間と全く同じ時間が掛かるという問題点を有していた。
【００２７】
本発明は上記従来の問題点を解決するもので、実時間より短い時間でオリジナルテープを転送したり、編集済みの画像データの実時間より短い時間でテープに記録したりできる磁気記録再生装置を提供することを目的とする。
【００２８】
【課題を解決するための手段】
この目的を達成するために本発明の磁気記録再生装置は、コンピュータと接続し画像データの送受信が可能な磁気記録再生装置であって、テープ状記録媒体を所定速度で走行させるキャプスタンモータと、前記キャプスタンモータを駆動するキャプスタンモータ駆動手段と、前記テープ状記録媒体に対して信号の記録再生を行うヘッドを搭載したシリンダーを所定速度で回転させるシリンダーモータと、前記シリンダーモータを駆動するシリンダーモータ駆動手段と、前記ヘッドで再生した画像データの信号処理を行い前記コンピュータへ送信するとともに前記コンピュータから送信される画像データを受信し信号処理を行う信号処理手段と、前記キャプスタンモータ駆動手段と前記シリンダーモータ駆動手段と前記信号処理手段とを制御する制御手段とを備え、前記制御手段は、前記キャプスタンモータの回転速度をｎ倍で動作させる時、前記シリンダーモータの回転速度及び前記信号処理手段をｎ倍で動作させる構成を有する。
【００２９】
この構成により、本発明は上記従来の問題点を解決するもので、実時間より短い時間で磁気記録再生装置からオリジナルテープをパソコンへ転送でき、また、パソコンから磁気記録再生装置へ画像データを書き戻しテープに記録することができる磁気記録再生装置を提供することができる。
【００３０】
【発明の実施の形態】
本発明の請求項１に記載の発明は、コンピュータと接続し画像データの送受信が可能な磁気記録再生装置であって、テープ状記録媒体を所定速度で走行させるキャプスタンモータと、前記キャプスタンモータを駆動するキャプスタンモータ駆動手段と、前記テープ状記録媒体に対して信号の記録再生を行うヘッドを搭載したシリンダーを所定速度で回転させるシリンダーモータと、前記シリンダーモータを駆動するシリンダーモータ駆動手段と、前記ヘッドで再生した画像データの信号処理を行い前記コンピュータへ送信するとともに前記コンピュータから送信される画像データを受信し信号処理を行う信号処理手段と、前記キャプスタンモータ駆動手段と前記シリンダーモータ駆動手段と前記信号処理手段とを制御する制御手段とを備え、前記制御手段は、前記キャプスタンモータの回転速度をｎ倍で動作させる時、前記シリンダーモータの回転速度及び前記信号処理手段をｎ倍で動作させるものであり、これにより、磁気記録再生装置及びコンピュータ感の画像データの送受信を高速化することができる。
【００３１】
本発明の請求項２に記載の発明は、テープ走行を行うキャプスタンモータと、キャプスタンモータを駆動するキャプスタンモータ駆動集積回路と、キャプスタンモータの回転速度を可変するキャプスタンモータ回転速度制御信号と、テープ表面を斜めに走査するビデオヘッドを搭載したシリンダーと、シリンダーを回転させるシリンダーモータと、シリンダーモータを駆動するシリンダーモータ駆動集積回路と、シリンダーモータの回転速度を可変するためのシリンダーモータ回転速度制御信号と、デジタルの画像データを信号処理する画像データ信号処理回路と、画像データ信号処理回路を制御する画像データ信号処理回路制御信号と、画像データをデジタルのまま外部機器とつなぐ信号形式に変換するデジタルデータインターフェース回路と、デジタルデータインターフェース回路を制御するデジタルデータインターフェース回路制御信号と、デジタルの画像データを送る接続ケーブルと、以上全ての制御信号を発生するマイクロコンピュータを備えたえたことを特徴としたものであり、デジタルの画像データをパソコンに転送するのに、従来より短い時間で転送できるという作用を有する。この構成により、本発明は上記従来の問題点を解決するもので、実時間より短い時間でオリジナルテープをパソコンに転送し、またはパソコンから磁気記録再生装置へ編集済みの画像データを転送する磁気記録再生装置を提供することができる。
【００３２】
請求項３に記載の発明は、コンピュータと接続したときの記録または再生時において、キャプスタンモータの回転速度をオリジナルテープ記録時のｎ倍（ｎは実数）にすると同時に、シリンダーモータの回転速度もｎ倍（ｎは実数）に設定し、画像データ信号処理回路の処理速度もｎ倍（ｎは実数）に設定し、デジタルデータインターフェース回路の処理速度もｎ倍（ｎは実数）に設定することを特徴としたものであり、パソコンへのデジタルの画像データの転送時間を短縮することができるという作用を有する。
【００３３】
請求項４に記載の発明は、マイクロコンピュータの設定で、動画のデジタルの画像データを磁気記録再生装置からパソコンに転送する、またはパソコンから磁気記録再生装置へ転送するための専用のモードを設けたことを特徴としたものであり、通常再生の１倍速再生とは分けて、磁気記録再生装置からパソコンに転送する、またはパソコンから磁気記録再生装置へ転送する時に限ったモードを新たに設定する。その転送モードの時にのみ、キャプスタンの回転数に同期して、シリンダーの回転速度を上げて、画像データ信号処理回路の処理速度も上げて、デジタルデータインターフェース回路の処理速度も上げて、パソコンへのデジタルの画像データの転送時間を短縮することができるという作用を有する。
【００３４】
以下、本発明の実施の形態について、図１から図３を用いて説明する。
【００３５】
（実施の形態１）
図１は本発明の実施の形態１における磁気記録再生装置の構成を示すブロック図である。
【００３６】
図において、１はキャプスタンモータ駆動手段であるキャプスタンモータ駆動集積回路であり、キャプスタンモータの駆動用の３相駆動波形を作り出す。
【００３７】
２はキャプスタンモータ駆動集積回路１で駆動されるキャプスタンモータであり、通常スター結線の３相コイルで構成されている。
【００３８】
３は制御手段であるマイクロコンピュータであり、外部からの操作や、内部のセンサーからの情報を元に、システム全体のモードを決定し、各アクチュエータに制御信号を送り全体のシステムをコントロールする。
【００３９】
４はマイクロコンピュータ３からのキャプスタンモータ逆転・停止・正転信号でキャプスタンモータ駆動集積回路１を制御するのに使う。たとえば、逆転時Ｈｉレベル・停止時Ｍｉｄレベル・正転時Ｌｏｗレベル等の設定とすれば、１本の線でキャプスタンの回転方向を制御できる。この信号により、キャプスタンを逆方向に回転させるか、停止させるか、正方向に回転させるかを制御する。
【００４０】
５はマイクロコンピュータ３からのキャプスタンモータ回転数制御信号で、キャプスタンモータ駆動集積回路１を制御するのに使う。キャプスタンの回転数は記録時のオリジナルテープ速度と同一の速度を１倍速としている。通常、再生時は１倍速を使う。そのほかにも再生画像を出した状態での高速速送りで２倍速、３倍速、５倍速等を使い、また編集時のシーン切り替え位置を探すとき等に使うスロー再生として、１／２倍速、１／３倍速、１／５倍速、駒送り等を使用する。また画像を出さない状態でのテープ位置変更や、始端へ戻す等の目的で１０倍速、２０倍速等を使う。このように多くの速度を切り替える必要があるため、キャプスタンモータ回転数制御信号の具体的な内容としては、シリアル通信による、速度制御がより好ましい。シリアル通信でマイクロコンピュータ３から、キャプスタンモータ駆動集積回路１内のモードレジスタに直接値を書き込んで、回転数を制御する方法が一般的である。
【００４１】
６はシリンダーモータ駆動手段であるシリンダーモータ駆動集積回路で、シリンダー駆動用の３相駆動波形を作り出す。シリンダーモータ駆動集積回路６とキャプスタンモータ駆動集積回路２は、２つの駆動回路が１個の集積回路のパッケージに入ったものを使う場合もある。
【００４２】
７はシリンダーモータで、シリンダーモータ駆動集積回路６で駆動される。なおシリンダーモータ７は通常スター結線の３相コイルで構成されている。
【００４３】
８はマイクロコンピュータ３からのシリンダーモータ回転入切信号で、シリンダーモータ駆動集積回路６を制御するのに使う。この信号により回転するか停止するかの制御を行う。以上の機構によってテープより読み出されたデジタルの画像データは、画像データ信号処理回路１４で処理される。
【００４４】
１４は磁気ヘッドによりテープ１３から再生された映像音声信号に各種信号処理を施して画像データとしてデジタルインターフェイス回路１５に出力したり、外部（本実施の形態ではパソコン１７）から取り込んだ映像音声信号を再生したりテープ１３に記録したりする画像データ信号処理回路である。
【００４５】
１５はデジタルデータインターフェース回路であり、画像データ信号処理回路１４からの画像データをパソコン１７への転送に適したデータ形態に変換したり、パソコン１７からの画像データをビデオカメラ３０内で処理可能な形式に変換するものである。また、後述する接続ケーブル１６を着脱可能な端子を備えたり、接続ケーブル１６を直接半田付けなどで電気的に接続している。なお、画像データ信号処理回路１４及びデジタルインターフェース回路１５とで信号処理手段を構成している。
【００４６】
１６はデジタルインターフェイス回路１５とパソコン１７とを接続する接続ケーブルであり、例えばＵＳＢ（Ｕｎｉｖｅｒｓａｌ　Ｓｅｒｉａｌ　Ｂｕｓ）やＩＥＥＥ１３９４規格に準拠したデジタルインターフェースケーブルに相当する。
【００４７】
３０は以上の構成を備えた磁気記録再生装置の一種であるビデオカメラで、本実施の形態ではビデオカメラとしたが、テープ上媒体による記録再生装置であればビデオカメラに限定されるものではなく、例えば据置タイプのビデオデッキであってもよい。
【００４８】
１７はコンピュータの一種であるパーソナルコンピュータ（以下パソコンと記す）であり、デジタルの画像データを受けたり保存したり加工したり送信したりできる。ビデオカメラ３０はパソコン１７と接続ケーブル１６で接続することで相互にデジタルの画像データの転送を行うことができる。なお画像データ信号処理回路１４は画像データ信号処理回路制御信号１９を通じて、マイクロコンピュータ３より制御される。また、デジタルデータインターフェース回路１５は、デジタルデータインターフェース回路制御信号２０を通じてマイクロコンピュータ３より制御される。
【００４９】
９はマイクロコンピュータ３からシリンダーモータ駆動集積回路６に出力されるシリンダーモータ回転数制御信号で、シリンダーモータ駆動集積回路６を制御するために新たに追加した。この信号によりシリンダモータの回転速度を制御する。
【００５０】
以上のように構成された本実施の形態の磁気記録再生装置ついて、図面を用いてその動作を説明する。
【００５１】
まず、図３（ａ）に示す記録時の磁気記録のテープパターンで記録されたデジタルの画像データをパソコン１７に転送する時間を短縮するため、１倍速より速くテープ１３を走行させる。本実施の形態の場合、実時間より少ない時間でオリジナルテープのデジタルの画像データをパソコン１７に転送するため、記録時のシリンダー回転速度と同一の速度を１倍速として、１倍速より大きい倍速を使う。たとえば、撮影された時の速度の２倍でキャプスタンモータ２を回転させ、テープ１３を速く送ると、図３（ｂ）に示すように、撮影されたときと全く同一の速度１倍速で回転するシリンダーモータ７に搭載したビデオヘッドで走査する従来の構成では、撮影時にテープ１３上に書かれた磁気記録のテープパターンに対して、再生時にビデオヘッドがトレースする走査の軌跡が変わり、走査するスレースパターンと記録時のテープパターンが合わなくなり、結果として正確なデータを読み出すことができなくなる。これは２倍速の特殊再生と同じことであり、デジタルの画像データの不連続が発生する。つまり、この場合、２倍でキャプスタンモータ２を回転させ、１倍速でシリンダーモータ７を回転させると、記録テープパターンに対して、再生の走査の軌跡が合わない。そこで図３（ｃ）に示すように、シリンダーモータ７の回転数も２倍にすると記録テープパターンに対して、再生の走査の軌跡がぴったり合い、デジタルの画像データの不連続がない正確なデータを読み出すことができる。
【００５２】
すなわち、マイクロコンピュータ３からは、シリンダーモータ駆動集積回路６に、シリンダーモータ回転入切信号８を送ると同時に、シリンダーモータ回転数制御信号９も、シリンダーモータ駆動集積回路６に送り、シリンダーモータ駆動集積回路６は各々の制御信号を受けてシリンダーモータ７を正方向に、２倍速で回転させる。
【００５３】
それと同時に、マイクロコンピュータ３からは、デジタルの画像データを信号処理する画像データ信号処理回路１４にも、画像データ信号処理回路制御信号１９を使って２倍の速さで信号処理をするように制御する。また、画像データをデジタルのまま外部機器（パソコン１７）とつなぐため、画像データを外部機器と接続できる形式のデジタル信号に、変換するデジタルデータインターフェース回路１５も、デジタルデータインターフェース回路制御信号２０を使って２倍の速さで信号処理をするように制御する。画像データ信号処理回路１４及びデジタルデータインターフェース回路１５で処理したデジタルの画像データは、接続ケーブル１６を介してパソコン１７に送る。以上全ての制御信号を発生するのが、マイクロコンピュータ３である。
【００５４】
以下、さらに詳述する。
【００５５】
上記動作の実現のため、マイクロコンピュータ３は通常の動画再生時、または動画記録時とは別のモードを設ける。この別のモードとは、すなわち、ビデオカメラ３０はオリジナルテープに記録された画像データをパソコン１７に転送する、またはパソコン１７からビデオカメラ３０へ画像データを書き戻し、テープ１３に記録することができる専用のモードのことである。このモードの目的は、通常動画再生とは違って、できるだけ短い時間で、デジタルの画像データをパソコン１７に転送する、または編集済みの画像データの実時間に対して、パソコン１７からビデオカメラ３０へできるだけ短い時間で、デジタルの画像データを書き戻しテープ１３に記録することである。
【００５６】
その場合、テープ速度がオリジナルテープの記録時と全く同じ速度である必要はなく、むしろ、デジタルの画像データの順番と値さえ正確であれば、テープ速度は速ければ速い程良く、その分だけ短い時間でパソコン１７とビデオカメラ３０との間に相互に画像データを転送することができる。つまり、デジタルの画像データの順番と値を正確に保ちながら、転送速度上をげる方法が本実施の形態の特徴である。
【００５７】
前記のように、転送速度を上げるためには、テープ１３の走行速度を速くする必要がある。例えとして、テープ１３の速度を２倍にしたと仮定して以降の説明を行う。
【００５８】
テープの速度を２倍にすれば、転送時間は半分ですむわけである。マイクロコンピュータ３はキャプスタンモータ駆動集積回路１にキャプスタン回転数制御信号５を使って、キャプスタンモータ２の回転数を２倍にするよう制御する。キャプスタンモータ駆動集積回路１は前記制御を受けてキャプスタンモータ２を正方向に、２倍速で回転させる。
【００５９】
ところが、図３（ａ）に示す記録時の磁気記録テープパターンに示すように、速くテープ１３を走行させるため、撮影された時のテープ速度の２倍でキャプスタンモータ２を回転させ、テープ１３を速く送ると、図３（ｂ）に示すように、撮影されたときと全く同一の速度で回転するシリンダーモータ７に搭載したビデオヘッドで走査する従来の構成では、撮影時にテープ１３上に書かれた磁気記録の記録済みテープパターンに対して、再生時にビデオヘッドがなぞる走査の軌跡の角度が変わり、走査するテープパターンが合わなくなり、結果として正確なデータを読み出すことができなくなる。
【００６０】
これは２倍速の特殊再生と同じことであり、デジタルの画像データの不連続が発生する。つまり、２倍でキャプスタンモータ２を回転させ、１倍速でシリンダーモータ７を回転させると、記録テープパターンに対して、再生の走査の軌跡が合わないために画面の中にデジタルの画像データとしての不連続な点が現れる現象となる。
【００６１】
そこで図３（ｃ）に示すように、シリンダーモータ７の回転数も２倍にすると記録テープパターンに対して、再生の走査の軌跡が合致し、デジタルの画像データの不連続がない正確なデータを読み出すことができる。そのために、シリンダーモータ７の回転数を制御して、必要なとき、回転数を２倍に上げるような制御のできる信号の追加が必要である。
【００６２】
すなわち、マイクロコンピュータ３からは、シリンダーモータ駆動集積回路６に、シリンダーモータ回転入切信号８を送ると同時に、前記説明で追加したシリンダーモータ回転数制御信号９も送る。この場合、シリンダーモータ駆動集積回路６は前記制御を受けて、パソコン１７にオリジナルテープを転送する際にシリンダーモータ７を正方向に、２倍速で回転させる。
【００６３】
本実施の形態の磁気記録再生装置では、動画のデジタルの画像データをパソコン１７に転送する時、テープ速度も２倍にし、シリンダーモータ７の回転速度も２倍に設定する。このことにより、その結果として、シリンダーモータ７に搭載したビデオヘッドが、走行するテープ１３の表面を斜めに走査する時のトレースパターンが、記録時のテープパターンに対して、軌跡がぴったり合い、デジタルの画像データは、記録された時と同一の順番と値を正確に保ちながら読み出される。読み出す速度は、記録時に対して２倍であるため、記録済みのテープ１３を再生する時間は、記録するのに掛かった時間の半分となる。すなわち、デジタルの画像データをパソコン１７に転送するのに、従来の半分の短い時間で転送できる。
【００６４】
次に、磁気ヘッドによりテープ１３から読み出されたデジタルの画像データは、画像データ信号処理回路制御信号１９により処理速度を上げたデジタルの画像データ信号処理回路１４で、従来の２倍の速度で処理され、デジタルデータインターフェース回路制御信号２０により変換速度を上げたデジタルデータインターフェース回路１５で、転送に適したデータ形態に従来の２倍の速度で変換され、接続ケーブル１６を従来の２倍のデータ量で通過して、パソコン１７にデジタルの画像データとして送り出される。
【００６５】
パソコン１７ではビデオカメラ３０から取り込んだ画像データをハードディスクなどの記録手段に記録し、画像編集ソフトウェアを使って画像における不要部分を切り取ったり、特殊効果を与えるなどの編集処理を行うことができる。編集後の画像データをさらに記録手段に記録することもできる。
【００６６】
ここで、転送速度を上げるために、テープ１３の走行速度を速くする速度の倍率を２倍に仮定してここまで説明してきたが、実際には必ずしも２倍である必要はなく、たとえば「２．５倍」等の整数倍以外の実数の倍率でも、キャプスタンと、シリンダーの倍率を一致させ、デジタルの画像データ信号処理回路１４の処理の倍率と、デジタルデータインターフェース回路１５の処理の倍率とを合わせることができれば、実現可能である。
【００６７】
倍率の決定には、シリンダーが安定して回転する速度の限界、デジタル信号処理の伝送経路の処理能力、各集積回路が扱える周波数限界等を考慮して、できるだけ高い倍率に設定すべきである。たとえば２．５倍に設定できたとしたら、従来の転送時間の４０％の時間で転送し終わることができる。つまり、マイクロコンピュータ３はキャプスタンモータ駆動集積回路１にキャプスタン回転数制御信号５を使って、キャプスタンモータ２の回転数をｎ倍（ｎは実数）にするよう制御し、シリンダーモータ駆動集積回路６にも、シリンダ回転数制御信号９を使って回転数をｎ倍（ｎは実数）にするよう制御し、画像データ信号処理回路１４にも、画像データ信号処理回路制御信号１９を使って、処理速度をｎ倍（ｎは実数）にするよう制御し、デジタルデータインターフェース回路１５にも、デジタルデータインターフェース回路制御信号２０を使って、処理速度をｎ倍（ｎは実数）にするよう制御すれば、デジタルの画像データは記録された時と同一の順番と値を正確に保ちながら転送することができる。
【００６８】
次に、パソコン１７にてデジタルの画像データを編集した後、その画像データを、パソコン１７から再びビデオカメラ３０内のテープ１３に書き戻して、テープ１３にて、編集後のデジタルの画像データを保存する場合がある。これは同じ量のデジタルの画像データの保存に対して、もっともテープが単位ビットあたりの価格が安いためである。また、テープ１３に書き戻しておけば、編集済みのデジタルの画像データを、パソコン１７を使わずに見ることもできるというメリットがある。この場合も、前記同様のことが実施できる。
【００６９】
すなわち、通常のデジタルの画像データ転送速度のｎ倍（ｎは実数）でテープ１３に書き戻すときの記録において、記録時のキャプスタンモータ２の回転速度を、通常再生時のキャプスタンモータ２の回転速度に対して、ｎ倍（ｎは実数）に設定すると同時に、記録時のシリンダーモータ７の回転速度も通常時のｎ倍（ｎは実数）に設定し、画像データ信号処理回路１４にも、画像データ信号処理回路制御信号１９を使って、処理速度をｎ倍（ｎは実数）にするよう制御し、デジタルデータインターフェース回路１５にも、デジタルデータインターフェース回路制御信号２０を使って、処理速度をｎ倍（ｎは実数）にするよう制御すれば、実際の時間より短い時間で、デジタルの画像データをテープに書き込むことができる。
【００７０】
以上のように本実施の形態によれば、ビデオカメラ３０においてキャプスタンモータ２及びシリンダーモータ７の回転速度をそれぞれｎ倍とし、さらに画像データ信号処理回路１４及びデジタルデータインターフェース回路１５もｎ倍で動作させることにより、ビデオカメラ３０からの画像データの読みだし速度がｎ倍となり、パソコン１７へ高速転送することができる。また、パソコン１７から出力される画像データも、ビデオカメラ３０内で高速処理することができ、高速でテープ１３に書き戻すことができる。
【００７１】
なお、キャプスタンモータ回転数制御信号９が、一般的に、シリアル通信によりマイクロコンピュータ３から、キャプスタンモータ駆動集積回路１内のモードレジスタに直接値を書き込んで、回転数を制御する方法を取るように、シリンダ回転数制御信号９についても、シリアル通信によりマイクロコンピュータ３から、シリンダーモータ駆動集積回路６内のモードレジスタに直接値を書き込んで、回転数を制御する方法の速度制御がより好ましい。
【００７２】
また、画像データ信号処理回路制御信号１９、デジタルデータインターフェース回路制御信号２０についても、シリアル通信、またはパラレル通信にて、マイクロコンピュータ３から、信号処理回路やインターフェース回路のある集積回路内のモードレジスタに、直接値を書き込んで、制御する方法を取ることが一般的である。
【００７３】
【発明の効果】
以上のように本発明は、実時間より短い時間でオリジナルテープをパソコンに転送したり、実時間より短い時間でパソコンで編集したデジタルの画像データをテープに転送できるという優れた効果が得られる。
【図面の簡単な説明】
【図１】本発明の実施の形態１における磁気記録再生装置のブロック図
【図２】同実施の形態１におけるテープ走行系を示す模式図
【図３】本発明の実施の形態１における動作を説明するためのテープパターンを示す模式図
【図４】従来の磁気記録再生装置のブロック図
【符号の説明】
１　キャプスタンモータ駆動集積回路
２　キャプスタンモータ
３　マイクロコンピュータ
４　キャプスタンモータ逆転・停止・正転信号
５　キャプスタンモータ回転数制御信号
６　シリンダーモータ駆動集積回路
７　シリンダーモータ
８　シリンダーモータ回転入切信号
９　シリンダーモータ回転数制御信号
１１　シリンダー
１２　キャプスタン
１３　テープ
１４　画像データ信号処理回路
１５　デジタルデータインターフェース回路
１６　接続ケーブル
１７　パソコン
１９　画像データ信号処理回路制御信号
２０　デジタルデータインターフェース回路制御信号
【図１】
2004112581.tif 000003
【図２】
2004112581.tif 000004
【図３】
2004112581.tif 000005
【図４】
2004112581.tif 000006